(57)【要約】【課題】具体的な変倍数値を作業者が記憶していなくても原稿サイズと記録紙サイズをそのまま入力することにより、所望とする変倍率で画像出力を可能にし、その作業性を向上させること。【解決手段】原稿サイズ・記録紙サイズを入力可能とし、これにしたがって変倍処理を指示するサイズ指定変倍モードを有するオペレーションパネル１５１と、上記モードが選択された際に、オペレーションパネル１５１に原稿サイズを指定する原稿サイズボタンと記録紙サイズを指定する記録紙サイズボタンを描画し、これらボタンの入力による両サイズの組み合わせから、変倍率を計算し、これをオペレーションパネル１５１に表示すると共に、当該変倍率での出力が指示された場合、その変倍率にしたがって画像を指定の記録紙に形成する制御を実行するシステムコントローラ１５０と、を備える。【選択図】      図２
2004151143.tif 000002
【特許請求の範囲】
【請求項１】
少なくとも、複数サイズの記録紙を収容し、選択的に給紙する給紙手段を有し、複写対象の原稿を読み取り、任意のサイズの記録紙に拡大／縮小して複写を行なう画像形成装置において、
原稿サイズおよび記録紙サイズの組み合わせ情報を入力可能とし、当該入力情報にしたがって変倍処理を指示するサイズ指定変倍モードを有する操作・表示手段と、
前記サイズ指定変倍モードが選択された際に、前記操作・表示手段に原稿サイズを指定する原稿サイズボタンおよび記録紙サイズを指定する記録紙サイズボタンを描画し、これらボタンの入力による原稿サイズおよび記録紙サイズの組み合わせから、変倍率を計算し、この結果を前記操作・表示手段に表示すると共に、当該変倍率での出力が指示された場合、当該変倍率にしたがって画像を指定の記録紙に形成する制御を実行するシステム制御手段と、
を備えたことを特徴とする画像形成装置。
【請求項２】
前記システム制御手段は、前記サイズ指定変倍モードが選択された場合、各原稿サイズおよび各記録紙サイズを個別に選択することが可能なサイズ表示ボタンを前記操作・表示手段に表示し、
前記サイズ表示ボタンの押下で選択された原稿サイズおよび記録紙サイズから変倍率を計算し、この結果を前記操作・表示手段に表示すると共に、前記給紙手段に収納されている記録紙に関係なく、当該変倍率にしたがって画像を任意に指定された記録紙に形成する制御を実行することを特徴とする請求項１に記載の画像形成装置。
【請求項３】
さらに、任意サイズの記録紙を挿入し給紙させる手差し給紙手段を備え、
前記システム制御手段は、前記サイズ指定変倍モードが選択された際に、当該変倍率を求めた記録紙サイズに関係なく、変倍画像を前記手差し給紙手段で給紙される記録紙に画像を形成する制御を実行することを特徴とする請求項１または２に記載の画像形成装置。
【請求項４】
前記システム制御手段は、各原稿サイズに対する各記録紙サイズの変倍率を示す変倍テーブル情報を前記操作・表示手段に表示することを特徴とする請求項１に記載の画像形成装置。
【発明の詳細な説明】
【０００１】
【発明の属する技術分野】
本発明は、変倍複写を行なう際に、原稿サイズと記録紙サイズとを入力することによりその変倍率を自動的に求めて表示すると共に、変倍処理などを行なうサイズ指定変倍モード機能を備えた複写機などの画像形成装置に関する。
【０００２】
【従来の技術】
従来、原稿サイズとは異なるサイズの記録紙に複写を行なう機能を備えた複写機が市販されている。このような従来の複写機において変倍を行なう方法として、操作部から所望とする変倍率（百分率）を入力する方法、原稿の横辺長さ・記録紙の横辺長さを入力し、当該長さの比から変倍率を割り出す方法、これらの変倍率の入力方法は何れも、目標とする変倍の具体的な変倍値を認識している必要がある。具体的には、たとえばＡ３原稿をＡ４の記録紙に変倍出力したい場合には、倍率変倍の場合には７１％を変倍値として作業者が記憶しておいた上で、その値を操作部から入力していた。
【０００３】
また、上記変倍入力の他に、原稿を読取テーブルに置いて自動的にサイズを読み取らせて目標とする記録紙サイズを収納している給紙トレイ（給紙カセット）を選択し、最終的な複写サイズを決定する方法も知られている。さらに、複写する原稿のサイズと設定された複写用紙サイズと変換倍率とからなる変倍率操作諸元を記憶する手段と、記憶した変倍率操作諸元を入力として倍率変換を行なう手段とからなる変倍操作記録機能を備えた複写機が開示されている（たとえば、特許文献１参照）。
【０００４】
【特許文献１】
特公平６−５８５６２号公報
【０００５】
【発明が解決しようとする課題】
しかしながら、上記に示されるような従来の変倍機能にあっては、原稿サイズを読み取り、かつ記録紙サイズを選択する方法では、必ずしも記録紙サイズ全面に複写するとは限らないため、記録紙の一部に複写する必要がある場合には、この変倍方式を使用することができない。また、記録紙を手差し給紙口から挿入して複写を行なう場合、記録紙が給紙トレイ（カセット）からの給紙ではないため、上記の変倍方式を使用することができない。
【０００６】
したがって、記録紙サイズにかかわらず任意の変倍を行なう場合は、具体的な変倍数値を作業者が認識していなければならず、もしその変倍率を作業者が記憶していない場合、寸法を割り出し、変倍率の計算を行なうため、煩わしい作業により効率の低下を招来させていた。
【０００７】
本発明は、上記に鑑みてなされたものであって、具体的な変倍数値を作業者が記憶していなくても原稿サイズと記録紙サイズをそのまま入力することにより、所望とする変倍率で画像出力を可能にし、その作業性を向上させることを目的とする。
【０００８】
【課題を解決するための手段】
上記の目的を達成するために、請求項１にかかる画像形成装置にあっては、少なくとも、複数サイズの記録紙を収容し、選択的に給紙する給紙手段を有し、複写対象の原稿を読み取り、任意のサイズの記録紙に拡大／縮小して複写を行なう画像形成装置において、原稿サイズおよび記録紙サイズの組み合わせ情報を入力可能とし、当該入力情報にしたがって変倍処理を指示するサイズ指定変倍モードを有する操作・表示手段と、前記サイズ指定変倍モードが選択された際に、前記操作・表示手段に原稿サイズを指定する原稿サイズボタンおよび記録紙サイズを指定する記録紙サイズボタンを描画し、これらボタンの入力による原稿サイズおよび記録紙サイズの組み合わせから、変倍率を計算し、この結果を前記操作・表示手段に表示すると共に、当該変倍率での出力が指示された場合、当該変倍率にしたがって画像を指定の記録紙に形成する制御を実行するシステム制御手段と、を備えたものである。
【０００９】
この発明によれば、操作・表示手段に設けられたサイズ指定変倍モードが選択された際に、操作・表示手段に原稿サイズを指定する原稿サイズボタンおよび記録紙サイズを指定する記録紙サイズボタンを描画し、これらボタンの入力による原稿サイズおよび記録紙サイズの組み合わせから、変倍率を計算し、この結果を操作・表示手段に表示すると共に、当該変倍率での出力が指示された場合、当該変倍率にしたがって画像を指定の記録紙に形成することにより、自動的に原稿サイズに対する記録対象の記録紙への変倍率が計算され、その記録紙に画像を形成することが可能になる。
【００１０】
また、請求項２にかかる画像形成装置にあっては、前記システム制御手段は、前記サイズ指定変倍モードが選択された場合、各原稿サイズおよび各記録紙サイズを個別に選択することが可能なサイズ表示ボタンを前記操作・表示手段に表示し、前記サイズ表示ボタンの押下で選択された原稿サイズおよび記録紙サイズから変倍率を計算し、この結果を前記操作・表示手段に表示すると共に、前記給紙手段に収納されている記録紙に関係なく、当該変倍率にしたがって画像を任意に指定された記録紙に形成する制御を実行するものである。
【００１１】
この発明によれば、請求項１において、操作・表示手段上に表示されたサイズ表示ボタンから原稿サイズと記録紙サイズを個別に指定することにより、この原稿サイズと記録紙サイズから変倍率を自動的に算出し、その変倍率を操作・表示手段に表示すると共に、前記給紙手段に収納されている記録紙に関係なく、当該変倍率にしたがって画像を任意に指定された記録紙に形成する制御を実行することにより、記録紙サイズにかかわらず任意の画像サイズに出力することが可能になる。
【００１２】
また、請求項３にかかる画像形成装置にあっては、さらに、前記システム制御手段、任意サイズの記録紙を挿入し給紙させる手差し給紙手段を備え、前記サイズ指定変倍モードが選択された際に、当該変倍率を求めた記録紙サイズに関係なく、変倍画像を前記手差し給紙手段で給紙される記録紙に画像を形成する制御を実行するものである。
【００１３】
この発明によれば、請求項１または２において、サイズ指定変倍モードが選択された際に、当該変倍率を求めた記録紙サイズに関係なく、その変倍画像を、手差し給紙手段に任意のサイズの記録紙をセットすることにより、所望の記録紙サイズに画像を形成することが可能になる。
【００１４】
また、請求項４にかかる画像形成装置にあっては、前記システム制御手段は、各原稿サイズに対する各記録紙サイズの変倍率を示す変倍テーブル情報を前記操作・表示手段に表示するものである。
【００１５】
この発明によれば、請求項１において、各原稿サイズに対する各記録紙サイズの変倍率を示す変倍テーブル情報（倍率対照テーブル）を操作・表示手段に表示することにより、変倍操作を行なう際にサイズ毎の変倍率を確認することが可能になる。
【００１６】
【発明の実施の形態】
以下、本発明にかかる画像形成装置の好適な実施の形態について添付図面を参照し、詳細に説明する。なお、本発明はこの実施の形態に限定されるものではない。
【００１７】
本発明は、オペレーションパネルに設けられたサイズ指定変倍モードキーの押下により当該モードが選択された際に、オペレーションパネルのＬＣＤに原稿サイズを指定する原稿サイズボタンおよび記録紙サイズを指定する記録紙サイズボタンを描画し、これらボタンの入力による原稿サイズおよび記録紙サイズの組み合わせから、変倍率を計算し、この結果をＬＣＤに表示すると共に、当該変倍率での出力が指示された場合、当該変倍率にしたがって画像を指定の記録紙に形成することにより、具体的な変倍数値を作業者が記憶しておかなくても、所望とする変倍画像を得るものである。以下、具体的に、デジタル複写機の構成、機能ブロック、オペレーションパネル、表示画面例、変倍入力処理などを挙げて説明する。
【００１８】
図１は、この発明を実施したデジタル複写機の機構部の構成例を示す図である。自動原稿送り装置（以下、ＡＤＦという）１０１にある原稿台１０２に、原稿の画像面を上にして置かれた原稿束は、操作部上のスタートキーが押下されると、一番下の原稿から給送ローラ１０３および給送ベルト１０４によってコンタクトガラス１０５上の所定の位置に給送される。スキャナ１０６によってコンタクトガラス１０５上の原稿の画像データを読み取った後、読み取りが終了された原稿は、給送ベルト１０４および排送ローラ１０７によって排出される。さらに、原稿セット検知１０８にて原稿台１０２につぎの原稿が有ることを検知した場合、前原稿と同様にコンタクトガラス１０５上に給送される。給送ローラ１０３、給送ベルト１０４および排送ローラ１０７はモータによって駆動される。
【００１９】
第１トレイ１０９あるいは第２トレイ１１０、第３トレイ１１１に積載された記録紙は、それぞれ第１給紙装置１１２あるいは第２給紙装置１１３、第３給紙装置１１４によって給紙され、縦搬送ユニット１１５により感光体ドラム１１６に当接する位置まで搬送される。スキャナ１０６にて読み込まれた画像データは、書き込みユニット１１７からのレーザーによって感光体ドラム１１６に書き込まれ、現像ユニット１１８を通過することによってトナー像が形成される。そして、記録紙は感光体ドラム１１６の回転と等速で搬送ベルト１１９によって搬送されながら、感光体ドラム１１６上のトナー像が転写される。その後、定着ユニット１２０にて画像を定着させ、排紙ユニット１２１によって後処理装置のフィニッシャー１２２に排出される。
【００２０】
後処理装置のフィニッシャー１２２は、本体の排紙ローラによって搬送された記録紙を、通常、排紙ローラ１３２方向と、ステープル処理部方向に導くことができる。切り替え板１２４を上に切り替えることにより、搬送ローラ１２３を経由して通常排紙トレイ１２６側に排紙することができる。また、切り替え板１２４を下方向に切り替えることで、搬送ローラ１２５，１２７を経由して、ステープル台１２８に搬送することができる。
【００２１】
ステープル台１２８に積載された記録紙は、一枚排紙されるごとに紙揃え用のジョガー１２９によって、紙端面が揃えられ、一部のコピー完了と共にステープラ１３０によって綴じられる。ステープラ１３０で綴じられた記録紙群は自重によって、ステープル完了排紙トレイ１３１に収納される。
【００２２】
一方、排紙トレイ１２６は前後に移動可能な排紙トレイである。前後に移動可能な排紙トレイ１２６は、原稿毎、あるいは画像メモリによってソーティングされたコピー部ごとに、前後に移動し、簡易的に排出されてくるコピー紙を仕分けるものである。
【００２３】
記録紙の両面に画像を作像する場合は、第１トレイ１０９あるいは第２トレイ１１０、第３トレイ１１１から給紙され作像された記録紙を排紙トレイ側に導かないで、経路切り替えのための分岐爪を上側にセットすることで、一旦両面給紙ユニット１３４にストックする。
【００２４】
その後、両面給紙ユニット１３４にストックされた記録紙は再び感光体ドラム１１６に作像されたトナー画像を転写するために、両面給紙ユニット１３４から再給紙され、経路切り替えのための分岐爪を下側にセットし、排紙トレイ１２６に導く。このように記録紙の両面に画像を作成する場合に両面給紙ユニット１３４は使用される。
【００２５】
感光体ドラム１１６，搬送ベルト１１９，定着ユニット１２０，排紙ユニット１２１および現像ユニット１１８は、メインモータによって駆動され、第１給紙装置１１２，第２給紙装置１１３，第３給紙装置１１４はメインモータの駆動をそれぞれの給紙クラッチによって伝達駆動される。縦搬送ユニット１１５はメインモータの駆動を中間クラッチによって伝達駆動される。
【００２６】
スキャナ１０６は、原稿を載置するコンタクトガラス１０５と光学走査系で構成されており、光学走査系は、露光ランプ１３５，第１ミラー１３６，レンズ１３７，ＣＣＤイメージセンサ１３８等々で構成されている。露光ランプ１３５および第１ミラー１３６は、図示しない第１キャリッジ上に固定され、第２ミラー１３９および第３ミラー１４０は、図示しない第２キャリッジ上に固定されている。原稿像を読み取るときには、光路長が変わらないように、第１キャリッジと第２キャリッジとが２対１の相対速度で機械的に走査される。この光学走査系は、図示しないスキャナ駆動モータにて駆動される。
【００２７】
原稿画像は、ＣＣＤイメージセンサ１３８によって読み取られ、電気信号（アナログ画像信号）に変換され、そしてデジタルデ−タ（画像デ−タ）に変換される。画像デ−タにはさらに数種の画像処理が施される。レンズ１３７およびＣＣＤイメージセンサ１３８を図１において左右方向に移動させることにより、画像倍率が変わる。すなわち、指定された倍率に対応してレンズ１３７およびＣＣＤイメージセンサ１３８の左右方向に位置が設定される。
【００２８】
書き込みユニット１１７は、レーザ出力ユニット１４１，結像レンズ１４２およびミラー１４３などで構成され、レーザ出力ユニット１４１の内部には、レーザ光源であるレーザダイオードおよびモータによって高速で定速回転する回転多面鏡（ポリゴンミラー）などが備わっている。レーザ出力ユニット１４１より照射されるレーザ光は、定速回転するポリゴンミラーで走査され、結像レンズ１４２を通り、ミラー１４３で折り返され、感光体ドラム１１６面上に集光し結像する。
【００２９】
レーザ光は、感光体ドラム１１６が回転する方向と直交する方向（主走査方向）に露光走査され、画像処理部のセレクタ（図示せず）より出力された画像信号のライン単位の記録を行う。感光体ドラム１１６の回転速度と記録密度に対応した所定の周期で主走査を繰り返すことによって、感光体面上に画像（静電潜像）が形成される。上述のように、書き込みユニット１１７から出力されるレーザ光が、作像系の感光体ドラム１１６に照射される。
【００３０】
図示しないが感光体ドラム１１６の一端近傍の、レーザ光が照射される位置に、主走査同期信号を発生するビームセンサが配置されている。この主走査同期信号をもとに主走査方向の画像記録開始タイミングの制御、および画像信号の入出力を行なうための制御信号の生成を行なう。
【００３１】
なお、この実施の形態におけるスキャナ１０６は、６００ｄｐｉで１画素あたり８ｂｉｔ、すなわち２５６階調で読み取ったデータを送出する。また、書き込みユニット１１７は、標準として主走査・副走査方向ともに１２００ｄｐｉで２値データ、すなわち１ドットをオンかオフで書込み、作像部によって高精細な画像が形成される。
【００３２】
また、レーザ光を高速変調して１ドットあたり２ｂｉｔデータ、すなわち４値で書込むモードも備えている。さらに、モードに応じて書込み解像度を可変する機能を備え、２４００ｄｐｉ、あるいは主走査方向１２００ｄｐｉ、副走査方向６００ｄｐｉの縦横扁平なピッチで書込むことも可能である。
【００３３】
図２は、本発明のデジタル複写機の機能的構成を示すブロック図である。符号１５０は画像形成装置全体を統括的に制御するシステムコントローラである。このシステムコントローラ１５０には、スキャナ１０６と、オペレーションパネル１５１と、プリンタエンジン１６０と、画像処理部１７０と、変倍テーブル（ＲＯＭ）１７１と、給紙装置１８０と、が接続されている。
【００３４】
プリンタエンジン１６０は、図１で示した画像データにしたがってレーザ変調し、帯電後の感光体ドラム１１６に光学的に書き込む動作を行なう書き込みユニット１１７、帯電チャージャ（不図示）、感光体ドラム１１６、現像ユニット１１８などを備え、電子写真プロセスにしたがって画像形成を行なうものである。
【００３５】
画像処理部１７０は、シェーディング補正された画像データに対し、ＭＴＦ補正、γ補正、シフト処理、変倍処理、マスク処理、階調処理などの画像処理を実行する。オペレーションパネル１５１は、変倍処理における入力や消去などの画像編集の設定、出力位置選択の設定など、各種モードの設定を行なうために用いられる。
【００３６】
オペレーションパネル１５１は、後述するように、液晶タッチパネル１５２、サイズ指定変倍キー１５３を備えている。給紙装置１８０は、図１に示したように第１トレイ１０９、第２トレイ１１０、第３トレイ１１１、手差しトレイ１８１を備えている。
【００３７】
さて、図２に示す機能ブロックにおいて、本発明は、少なくとも、複数サイズの記録紙を収容し、選択的に給紙する給紙装置１８０を有し、複写対象の原稿を読み取り、任意のサイズの記録紙に拡大／縮小して複写を行なう画像形成装置において、原稿サイズおよび記録紙サイズの組み合わせ情報を入力可能とし、当該入力情報にしたがって変倍処理を指示するサイズ指定変倍モードキー１５３を有するオペレーションパネル１５１と、を備え、システムコントローラ１５０は、サイズ指定変倍モードキー１５３の押下によるサイズ指定変倍モードが選択された際に、オペレーションパネル１５１に原稿サイズを指定する原稿サイズボタンおよび記録紙サイズを指定する記録サイズボタンを描画し、これらボタンの入力による原稿サイズおよび記録紙サイズの組み合わせから、変倍率を計算し、この結果をオペレーションパネル１５１の液晶タッチパネル（ＬＣＤ）１５２に表示すると共に、当該変倍率での出力が指示された場合、当該変倍率にしたがって画像を指定の記録紙に形成する制御を実行するものである。
【００３８】
図３は、図２におけるオペレーションパネル１５１の構成例を示す説明図である。図において、符号１５２は装置の状態表示や初期設定や各種モードを設定する液晶タッチパネル、符号１５３は原稿サイズおよび記録紙サイズの入力によって変倍処理を実行させるためのサイズ指定変倍キー、符号１５４は初期設定キー、符号１５５はファクシミリ送信時の相手先番号をセットしておくワンタッチハードキー、符号１５６はコピー部数などを入力するためのテンキー、符号１５７はコピー開始などを行なう場合に押下されるスタートキー、符号１５８はクリア・ストップキーである。
【００３９】
液晶タッチパネル１５２には、通常、ファンクションキー、部数、装置の状態を示すメッセージなどが表示される。オペレータが液晶タッチパネル１５２に表示されたキーにタッチすることにより、選択された機能を示すキーが黒く反転する。また、機能の詳細を指定しなければならない場合は、キーをタッチすることにより、詳細機能の設定画面が表示される。このように、液晶タッチパネル１５２は、ドット表示器を使用しているため、そのときの最適な表示をグラフィカルに行なうことが可能に構成されている。
【００４０】
図４は、図２における変倍テーブル１７１の内容を示す図表である。図示するように、各原稿サイズを各記録紙サイズに変倍する際の変倍率を対応づけてあらかじめ計算し、これをＲＯＭなどの記憶装置に記憶しておく。なお、図におけるＡはＡ版サイズ、ＢはＢ版サイズ、ＬＴはレターサイズ、ＤＬＴはダブルレターサイズである。
【００４１】
図５は、本発明の実施の形態にかかる変倍入力画面例を示す説明図であり、サイズ指定変倍キー１５３を押下することにより表示出力される。図において、符号２０１は原稿サイズと記録紙サイズとを指定した場合の倍率が表示される変倍率表示部、符号２０２は各原稿サイズが選択可能に表示される原稿サイズ入力エリア、符号２０３はタッチにより所望の原稿サイズを指定するための原稿サイズ選択ボタン、符号２０４は各記録紙サイズが選択可能に表示される記録紙サイズ入力エリア、符号２０５はタッチにより所望の記録紙サイズを指定するための記録サイズ選択ボタンである。なお、この図５の表示例では、原稿サイズとしてＡ３縦を選択し、これを記録紙サイズＢ５に縮小変倍する場合の倍率表示（６１％）を示している。
【００４２】
つぎに、図６のフローチャートを参照し、本発明の実施の形態にかかる変倍設定処理動作について説明する。この制御はシステムコントローラ１５０によって行なわれる。まず、オペレーションパネル１５１のサイズ指定変倍キー１５３の押下入力により、図５に示すような、選択画面を表示し、原稿サイズの選択であるか否かを判断する（ステップＳ１１）。原稿サイズの選択であると判断した場合、原稿サイズの入力処理（ステップＳ１２）、および転写紙（記録紙）サイズの入力処理を行なう（ステップＳ１３）。一方、ステップＳ１１において、原稿サイズの選択でないと判断した場合、転写紙（記録紙）サイズの入力処理（ステップＳ１４）、および原稿サイズの入力処理を実行する（ステップＳ１５）。すなわち、選択画面上からの入力順序は、原稿サイズ、転写紙（記録紙）サイズの何れの順番であってもよい。
【００４３】
上記の入力処理が終了したならば、この入力された原稿サイズに対する転写紙（記録紙）サイズへの変倍が本装置における変倍可能範囲であるか否かを判断する（ステップＳ１６）。ここで、変倍可能範囲を逸脱している場合には、ステップＳ１１に戻り、再入力処理を行なう。一方、ステップＳ１６において、変倍可能範囲であれば、図４に示した変倍テーブルにしたがって変倍率Ａを決定し（ステップＳ１７）、液晶タッチパネル（ＬＣＤ）１５２の変倍率表示部２０１に倍率を表示する（ステップＳ１８）。この倍率が確定し、ユーザによりスタートキー１５７が押下されると、システムコントローラ１５０は、当該倍率にしたがって画像処理部１７０によって画像処理を実行させ、プリンタエンジン１６０、給紙装置１８０を介して指定された記録紙に画像を行なう。
【００４４】
このように、変倍複写を行なう場合、原稿サイズと記録紙サイズを入力するボタンが押下されると、システムコントローラ１５０は、その変倍率を自動的に計算し、オペレーションパネル１５１の液晶タッチパネル（ＬＣＤ）１５２にその変倍率を表示し、当該変倍率での複写が指示された場合には、その記録紙に変倍複写を実行させる。一方、上述の変倍処理において、変倍率が両サイズの入力から求められ、この両サイズの入力を個別に行なえるようにすることにより、この記録サイズとは異なる記録紙に変倍する場合には、記録紙を任意に入力し、上記変倍率での複写を行なうことができる。また、上述の変倍処理において、手差し給紙による任意の記録紙に変倍複写を行なうこともできる。
【００４５】
ところで、図５に示したような選択画面の他に、たとえばオペレーションパネル１５１のサイズ指定変倍キー１５３の２度押しあるいは長押し（２秒程度）により、図４に示すような変倍テーブルを液晶タッチパネル１５２上に表示することもできる。これにより、原稿サイズと記録紙サイズとの関係が不明な場合に的確な情報として参照することが可能になり、変倍時における入力操作の迅速化が実現する。
【００４６】
【発明の効果】
以上説明したように、本発明にかかる画像形成装置（請求項１）によれば、操作・表示手段に設けられたサイズ指定変倍モードが選択された際に、操作・表示手段に原稿サイズを指定する原稿サイズボタンおよび記録紙サイズを指定する記録紙サイズボタンを描画し、これらボタンの入力による原稿サイズおよび記録紙サイズの組み合わせから、変倍率を計算し、この結果を操作・表示手段に表示すると共に、当該変倍率での出力が指示された場合、当該変倍率にしたがって画像を指定の記録紙に形成することにより、具体的な変倍数値を作業者が記憶しておかなくても、原稿サイズと記録紙サイズをそのまま入力することで、所望とする変倍画像が得られ、その作業を迅速に行なうことができる。
【００４７】
また、本発明にかかる画像形成装置（請求項２）によれば、請求項１において、操作・表示手段上に表示されたサイズ表示ボタンから原稿サイズと記録紙サイズを個別に指定することにより、この原稿サイズと記録紙サイズから変倍率を自動的に算出し、その変倍率を操作・表示手段に表示すると共に、前記給紙手段に収納されている記録紙に関係なく、当該変倍率にしたがって画像を任意に指定された記録紙に形成する制御を実行するため、記録紙サイズにかかわらず任意の画像サイズに変倍し出力することができる。
【００４８】
また、本発明にかかる画像形成装置（請求項３）によれば、請求項１または２において、サイズ指定変倍モードが選択された際に、当該変倍率を求めた記録紙サイズに関係なく、その変倍画像を、手差し給紙手段に任意のサイズの記録紙をセットして変倍画像の処理を指示するため、所望の記録紙サイズに画像を形成することができる。
【００４９】
また、本発明にかかる画像形成装置（請求項４）によれば、請求項１において、各原稿サイズに対する各記録紙サイズの変倍率を示す変倍テーブル情報（倍率対照テーブル）を操作・表示手段に表示するので、変倍操作を行なう際にサイズ毎の変倍率をその都度計算したり、試行錯誤を繰り返すことなく確認することができる。
【図面の簡単な説明】
【図１】この発明を実施したデジタル複写機の機構部の構成例を示す図である。
【図２】本発明のデジタル複写機の機能的構成を示すブロック図である。
【図３】図２におけるオペレーションパネルの構成例を示す説明図である。
【図４】図２における変倍テーブルの内容を示す図表である。
【図５】本発明の実施の形態にかかる変倍入力画面例を示す説明図である。
【図６】本発明の実施の形態にかかる変倍設定処理などを示すフローチャートである。
【符号の説明】
１５０  システムコントローラ
１５１  オペレーションパネル
１５２  液晶タッチパネル（ＬＣＤ）
１５３  サイズ指定変倍キー
１６０  プリンタエンジン
１７０  画像処理部
１７１  変倍テーブル
１８０  給紙装置
１８１  手差しトレイ
２０１  変倍率表示部
２０２  原稿サイズ入力エリア
２０３  原稿サイズ選択ボタン
２０４  記録紙サイズ入力エリア
２０５  記録紙サイズ選択ボタン
【図１】
2004151143.tif 000003
【図２】
2004151143.tif 000004
【図３】
2004151143.tif 000005
【図４】
2004151143.tif 000006
【図５】
2004151143.tif 000007
【図６】
2004151143.tif 000008